(57)【要約】【課題】記録ヘッドの残留磁化をより効率良く消磁させることを可能とする。【解決手段】データ記録モードでは、データライトドライバ２１２からヘッド１２に対し、ライトデータに対応する記録電流信号（ＷＳ）４４が出力される。消磁モードでは、デガウスライトドライバ２１５からヘッド１２に対し、ヘッド１２の残留磁化を消磁するための消磁用電流信号としての記録電流信号（ＷＳ）４４であって、その立ち上がり及び立ち下がり時間が、データ記録モードにおける記録電流信号（ＷＳ）４４のそれよりも長く設定された記録電流信号（ＷＳ）４４が出力される。【選択図】      図１
2006185544.tif 000002
【特許請求の範囲】
【請求項１】
磁気ディスク媒体上にデータを磁気記録するのに用いられる記録ヘッドを有する磁気ディスク装置に適用されるヘッドアンプ回路において、
前記磁気ディスク媒体上にライトデータを記録するデータ記録モードでは、当該ライトデータに対応する記録電流を第１の記録電流として前記記録ヘッドに出力し、前記記録ヘッドの残留磁化を消磁する消磁モードでは、前記記録ヘッドの残留磁化を消磁するための消磁用電流であって、その立ち上がり及び立ち下がり時間が、前記第１の記録電流の立ち上がり及び立ち下がり時間よりも長く設定された消磁用電流を第２の記録電流として前記記録ヘッドに出力するドライバ手段と、
前記データ記録モードから前記消磁モードへの切り替えを制御することで前記ドライバ手段を制御する制御手段と
を具備することを特徴とするヘッドアンプ回路。
【請求項２】
前記ドライバ手段は、
前記データ記録モードにおいて、ライトデータに対応する記録電流を前記第１の記録電流として生成する第１のライトドライバと、
前記消磁モードにおいて、前記第２の記録電流としての前記消磁用電流を生成する第２のライトドライバと
を含むことを特徴とする請求項１記載のヘッドアンプ回路。
【請求項３】
前記消磁モードにおいて、前記第２のライトドライバによる前記消磁用電流の生成に用いられる消磁用データ信号を発生する消磁用データ信号発生手段を更に具備することを特徴とする請求項２記載のヘッドアンプ回路。
【請求項４】
前記制御手段は、外部から与えられる前記データ記録モードを指定するライトゲート信号が非アクティブに切り替わる際に、前記消磁モードを指定する消磁ゲート信号をアクティブに切り替え、
前記消磁用データ信号発生手段は、前記消磁ゲート信号がアクティブな期間、前記消磁用データ信号に基づいて当該消磁用データ信号に対応する前記消磁用電流を生成する
ことを特徴とする請求項３記載のヘッドアンプ回路。
【請求項５】
前記磁気ディスク媒体に記録すべき１セクタ当たりのライトデータは、ユーザデータ及び前記ライトデータの終端部をなすポストアンブルを含み、
前記制御手段は、前記ポストアンブルの一部が前記磁気ディスク媒体に記録された時点で前記データ記録モードから前記消磁モードに切り替えることにより、前記ポストアンブルの残りの部分を前記第２のライトドライバによって生成される前記消磁用電流に基づいて前記磁気ディスク媒体に記録させる
ことを特徴とする請求項２記載のヘッドアンプ回路。
【請求項６】
前記第２のライトドライバは、前記消磁モードでは、前記ポストアンブルの残りの部分に対応する記録電流を前記消磁用電流として生成することを特徴とする請求項５記載のヘッドアンプ回路。
【請求項７】
前記第２のライトドライバは、前記消磁用電流の振幅の包絡線形状が単調減少するように当該消磁用電流を漸次減衰させることを特徴とする請求項２記載のヘッドアンプ回路。。
【請求項８】
前記第２のライトドライバは、前記消磁用電流として、三角波またはサイン波の記録電流を生成することを特徴とする請求項２記載のヘッドアンプ装置。
【請求項９】
前記第２のライトドライバは、前記第２の記録電流としての前記消磁用電流のオーバーシュートレベルを、前記第１のライトドライバによって生成される前記第１の記録電流のオーバーシュートレベルよりも低く設定することを特徴とする請求項２記載のヘッドアンプ装置。
【請求項１０】
磁気ディスク媒体上にデータを磁気記録するのに用いられる記録ヘッドを有する磁気ディスク装置において、
前記磁気ディスク媒体上にライトデータを記録するデータ記録モードを指定するディスクコントローラと、
前記データ記録モードでは、前記磁気ディスク媒体上に記録されるべきライトデータに対応する記録電流を第１の記録電流として前記記録ヘッドに出力し、前記記録ヘッドの残留磁化を消磁する消磁モードでは、前記記録ヘッドの残留磁化を消磁するための消磁用電流であって、その立ち上がり及び立ち下がり時間が、前記第１の記録電流の立ち上がり及び立ち下がり時間よりも長く設定された消磁用電流を第２の記録電流として前記記録ヘッドに出力するドライバ手段と、前記データ記録モードから前記消磁モードへの切り替えを制御することで前記ドライバ手段を制御する制御手段とを含むヘッドアンプ回路と
を具備することを特徴とする磁気ディスク装置。
【請求項１１】
前記ドライバ手段は、
前記データ記録モードにおいて、ライトデータに対応する記録電流を前記第１の記録電流として生成する第１のライトドライバと、
前記消磁モードにおいて、前記第２の記録電流としての前記消磁用電流を生成する第２のライトドライバと
を含むことを特徴とする請求項１０記載の磁気ディスク装置。
【請求項１２】
磁気ディスク媒体上にデータを磁気記録するのに用いられる記録ヘッドを有する磁気ディスク装置に適用され、前記記録ヘッドの残留磁化を消磁するための残留磁化消磁方法であって、
データ記録モードにおいて、前記磁気ディスク媒体上にライトデータを記録するために、当該ライトデータに対応する記録電流を第１の記録電流として前記記録ヘッドに出力するステップと、
前記データ記録モードから前記記録ヘッドの残留磁化を消磁する消磁モードに切り替えるステップと、
前記消磁モードにおいて、前記記録ヘッドの残留磁化を消磁するための消磁用電流であって、その立ち上がり及び立ち下がり時間が、前記第１の記録電流の立ち上がり及び立ち下がり時間よりも長く設定された消磁用電流を第２の記録電流として前記記録ヘッドに出力するステップと
を具備することを特徴とする残留磁化消磁方法。
【発明の詳細な説明】
【技術分野】
【０００１】
本発明は、磁気ディスク媒体にデータを記録するのに用いられる記録ヘッドを備えた磁気ディスク装置に係り、特に記録ヘッドの残留磁化を消磁するのに好適なヘッドアンプ回路及び同回路を備えた磁気ディスク装置に関する。
【背景技術】
【０００２】
磁気ディスク装置において、ディスク媒体へのデータ書き込みは、ライトデータに応じた記録電流（ライト電流）を記録ヘッドに供給することにより行われる。ここでは、記録ヘッドに記録電流が供給されると、当該ヘッドに記録磁界が発生する。この記録磁界によりディスク媒体にライトデータに応じた磁気記録（ライト動作）が行われる。
【０００３】
ところが、記録ヘッドに記録電流を供給してライト動作を行った後に、当該記録電流の供給が停止されると、記録ヘッドに磁化（磁区）が滞留する現象、即ち記録ヘッドが帯磁する現象が発生するおそれがあることが知られている。この現象が発生すると、記録ヘッドにより磁気ディスク媒体上のデータセクタにデータが記録された後に、当該データセクタに連続する以降のセクタに記録されているデータもしくはサーボデータの全てまたは一部が消去される可能性がある。
【０００４】
そこで従来から、記録ヘッドに滞留した磁化（残留磁化）を除去する技術が提案されている。例えば、特許文献１には、記録ヘッドによるデータのライト動作の直後、つまりライトゲート（ライトゲート信号）がＯＦＦした後に、ダミーのライトデータに基づいて発生される一定周波数の記録電流を消磁用電流として記録ヘッドに供給することにより、当該記録ヘッドの帯磁を防止する技術が記載されている。この消磁用電流の特徴は、その振幅が漸次減衰する点にある。また、特許文献２には、記録ヘッドに供給される記録電流を、ライトゲートがＯＦＦした直後から、一定の勾配または減衰指数曲線に沿うように、一定時間（特性緩和時間）単調に減衰させることにより、当該記録ヘッドの帯磁を防止する技術が記載されている。この特許文献２には、上記一定時間、データライト時より高周波の記録電流であって、その振幅の包絡線形状が単調減少する記録電流を記録ヘッドに供給することも記載されている。
【特許文献１】特開平２−６４９０３号公報（公報第３頁左下欄第１７行乃至同頁右下欄第１８行、第２図）
【特許文献２】特開平４−２２８１０３号公報（段落００１６乃至００１８及び図８、段落００１９乃至００２２及び図１１）
【発明の開示】
【発明が解決しようとする課題】
【０００５】
上記特許文献１及び２に記載された技術（以下、先行技術と称する）は、いずれも所定のライトデータの後端に、再生不要なデータを記録電流を漸次減衰させながら記録することで、記録ヘッド内の残留磁化を消磁させることを目的としている。特に特許文献２は、記録電流の減衰のさせかたのパラメータとして、（１）周波数、（２）作用時間、（３）減衰形状を開示している。したがって、最適なパラメータを設定して記録電流を減衰させることにより、記録ヘッドの残留磁化を確実に防止することが期待される。
【０００６】
しかしながら、先行技術では、最近の高密度記録用の磁気ヘッドに対して完全には残留磁化を防止できない場合があることが分かってきている。また、記録電流を減衰させるのに必要な時間は、１０ｎｓ乃至数１００ｎｓ程度必要である。この時間に相当する、磁気ディスク媒体上の領域に、本来不要であるべきデータが記録されるため、その不要なデータの分だけ磁気ディスク媒体のフォーマット効率の低下につながる。
【０００７】
本発明は上記事情を考慮してなされたものでその目的は、通常のデータ記録時とは異なる記録電流の立ち上がり、立ち下がり特性を用いることにより、記録ヘッドの残留磁化をより効率良く消磁させることができるヘッドアンプ回路及び同回路を備えた磁気ディスク装置を提供することにある。
【課題を解決するための手段】
【０００８】
本発明の１つの観点によれば、磁気ディスク媒体上にデータを磁気記録するのに用いられる記録ヘッドを有する磁気ディスク装置に適用されるヘッドアンプ回路が提供される。このヘッドアンプ回路は、上記磁気ディスク媒体上にライトデータを記録するデータ記録モードでは、当該ライトデータに対応する記録電流を第１の記録電流として上記記録ヘッドに出力し、上記記録ヘッドの残留磁化を消磁する消磁モードでは、上記記録ヘッドの残留磁化を消磁するための消磁用電流であって、その立ち上がり及び立ち下がり時間が、上記第１の記録電流の立ち上がり及び立ち下がり時間よりも長く設定された消磁用電流を第２の記録電流として上記記録ヘッドに出力するドライバ手段と、上記データ記録モードから上記消磁モードへの切り替えを制御することで上記ドライバ手段を制御する制御手段とを具備する。
【０００９】
このような構成においては、データ記録モードが完了すると、消磁モードが設定される。この消磁モードでは、データ記録モードでライトデータを磁気ディスク媒体に記録するために用いられる記録電流（第１の記録電流）と比較して、立ち上がり及び立ち下がり時間が長く設定された記録電流（消磁用電流としての第２の記録電流）が記録ヘッドに出力される。このように、立ち上がり及び立ち下がり時間が長い記録電流を記録ヘッドに供給することにより、消磁モードに先行するデータ記録モードでの立ち上がり及び立ち下がり時間が短い記録電流に基づくライト動作で記録ヘッドに残留した磁化を効率よく消磁（除去）することが可能となる。
【００１０】
ここで、上記ドライバ手段が、上記データ記録モードにおいて、ライトデータに対応する記録電流を上記第１の記録電流として生成する第１のライトドライバと、上記消磁モードにおいて、上記第２の記録電流としての上記消磁用電流を生成する第２のライトドライバとを含む構成とするならば、記録電流の周波数が高周波となっても、データ記録モードから消磁モードへの切り替えに容易に対処可能となる。
【００１１】
また、磁気ディスク媒体に記録すべき１セクタのライトデータが、ユーザデータ及び上記ライトデータの終端部をなすポストアンブルを含む場合に、当該ポストアンブルの一部が磁気ディスク媒体に記録された時点で、上記制御手段の制御によってデータ記録モードから消磁モードに切り替え、ポストアンブルの残りの部分が上記消磁用電流に基づいて磁気ディスク媒体に記録される構成とするとよい。この消磁用電流が、ポストアンブルの残りの部分に対応して生成される記録電流であっても良い。
【００１２】
このような構成によれば、ポストアンブルの一部を消磁用波形（デガウス波形）の記録領域（デガウス部）として兼用できるため、フォーマット効率を上げることが可能となる。
【００１３】
また、消磁用電流として、三角波またはサイン波の記録電流を用いるならば、例えば同じ周波数の記録電流であっても、三角波またはサイン波の記録電流の方が、一般に広く用いられてる例えば方形波の記録電流よりも立ち上がり及び立ち下がり時間をより長く設定できるため、記録ヘッドの残留磁化をより効率的に消磁できる。また、帯磁を促進する要因の１つとなりうるオーバーシュートレベルに関しては、第２の記録電流としての消磁用電流のオーバーシュートレベルを、第１の記録電流のオーバーシュートレベルよりも低く設定することによっても、記録ヘッドの残留磁化をより効率的に消磁できる。
【発明の効果】
【００１４】
本発明によれば、データ記録モードに後続する消磁モードでは、データ記録モードでライトデータを磁気ディスク媒体に記録するために用いられる記録電流と比較して、立ち上がり及び立ち下がり時間が長く設定された記録電流（消磁電流）が記録ヘッドに出力される構成とすることにより、先行技術を適用した場合よりも短時間で、残留磁化を消磁することが可能になる。
【発明を実施するための最良の形態】
【００１５】
以下、本発明の実施の形態につき図面を参照して説明する。  
図１は本発明の一実施形態に係る磁気ディスク装置の構成を示すブロック図である。この磁気ディスク装置（以下、ＨＤＤと称する）は、大きく分けて、機構部１と、回路部２とから構成される。
【００１６】
機構部１は、磁気ディスク（磁気ディスク媒体）１１と、磁気ヘッド１２と、スピンドルモータ（ＳＰＭ）１３と、アクチュエータ１４とを含む。ディスク１１は上側と下側の２つのディスク面を有している。ディスク１１の２つのディスク面の少なくとも一方のディスク面、例えば上側のディスク面は、データが磁気記録される記録面をなしている。ディスク１１の記録面には、複数のサーボ領域１１０が当該ディスク１１の半径方向に放射状に配置され、且つ当該ディスク１１の円周方向に等間隔で離散的に配置されている。各サーボ領域１１０には、ヘッド１２のシーク・位置決め制御に必要な位置データを含むサーボデータ（ＳＤ）が記録されている。隣接するサーボ領域１１０の間は、ユーザデータ領域となっており、当該データ領域にはデータセクタが複数個配置されている。また、ディスク１１の記録面には、同心円状の多数のトラック（図示せず）が配置されている。
【００１７】
図２は、本実施形態で適用される、ディスク１１上に記録される１データセクタのライトデータの一般的なフォーマット（つまりデータセクタフォーマット）の例を示す。図２に示すように、１データセクタのライトデータは、プリアンブル１１１と、シンクマーク（ＳＭ）１１２と、ユーザデータ１１３と、誤り訂正符号（ＥＣＣ）１１４と、ポストアンブル１１５とを含む。プリアンブル１１１は、予め定められた周波数の同期パターンからなるデータ（プリアンブルデータ）であり、クロック信号の生成のための同期信号や再生信号の自動ゲインコントロール（ＡＧＣ）に用いられる。シンクマーク１１２は、再生時に後続のユーザデータ１１３の先頭ビットを検出するための識別パターン（特定コード）である。ユーザデータ１１３は、符号化されたデータである。ＥＣＣ１１４は、再生されたユーザデータ１１３のエラーを訂正するのに用いられる。ポストアンブル１１５は、ユーザデータ１１３をＰＲＭＬ（Partial Response Maximum Likelihood）処理で復号する際に実行されるＭＬ（最尤）判定を終了させるために付加されるデータである。
【００１８】
再び図１を参照すると、ヘッド１２は、上記記録面をなす、ディスク１１の一方のディスク面に対応して配置されている。ヘッド１２は、ディスク１１へのデータの記録（書き込み）に用いられる記録ヘッド（ライトヘッド）とディスク１１からのデータの再生（読み出し）に用いられる再生ヘッド（リードヘッド）とを含む複合ヘッドである。なお図１では、作図の都合上、ヘッド１２が１つの場合が示されている。しかし、一般には、ディスク１１の２つのディスク面が共に記録面をなしており、各々のディスク面に対応してヘッドが配置される。また図１の構成では、単一枚のディスク１１を備えたＨＤＤを想定している。しかし、ディスク１１が複数枚積層配置されたＨＤＤであっても構わない。
【００１９】
ＳＰＭ１３は、ディスク１１を高速に回転させる。ヘッド１２は、アクチュエータ１４の先端に取り付けられている。更に具体的に述べるならば、ヘッド１２はアクチュエータ１４のアーム１４０から延出したサスペンション１４１に取り付けられている。アクチュエータ１４は、当該アクチュエータ１４の駆動力を発生するボイスコイルモータ（ＶＣＭ）１５を含む。アクチュエータ１５は、後述するＣＰＵ（マイクロプロセッサ）２４のサーボ制御により、ヘッド１２をディスク１１の半径方向に移動させる。これにより、ヘッド１２は、ディスク１１の目標位置（目標トラック）に位置決めされる。
【００２０】
一方、回路部２は、ヘッドアンプ回路２１と、リード／ライトチャネル回路２２と、ハードディスクコントローラ（ＨＤＣ）２３と、ＣＰＵ２４と、メモリ２５と、モータドライバ２６とを含む。最近、ＨＤＤ内の複数の回路のうち、数回路を単一のＩＣチップに統合することが一般的になってきている。したがって、本実施形態においても、ヘッドアンプ回路２１、リード／ライトチャネル回路２２、ＨＤＣ２３、ＣＰＵ２４、メモリ２５及びモータドライバ２６の幾つかが、単一のＩＣチップに統合されていても構わない。
【００２１】
ヘッドアンプ回路２１は、リードアンプ２１１と、データライトドライバ２１２とを含む。リードアンプ２１１は、ヘッド１２によって再生された（読み出された）信号（再生信号）４３を増幅して、リード信号（ＲＳ）３９として出力する。データライトドライバ２１２は、ライトゲート信号（ＷＧ）４５がアクティブな（例えば高レベルの）期間、ライトデータ（ＷＤ）４２を記録電流（ライト電流）信号（ＷＳ）４４に変換する。つまりデータライトドライバ２１２は、ＷＧ４５がアクティブな期間、ＷＤ４２に対応するＷＳ４４を生成する。ヘッドアンプ回路２１は更に、後述する、デガウス制御回路２１３と、デガウス信号発生回路２１４と、デガウスライトドライバ２１５とを含む。
【００２２】
リード／ライトチャネル回路２２は、ＲＳ（リード信号）３９に対するアナログ／ディジタル変換処理、ライトデータ（ＷＤ）３５の符号化処理及びリードデータの復号化処理を含む各種の信号処理を実行する信号処理回路である。リード／ライトチャネル回路２２の処理機能の詳細は後述する。
【００２３】
ＨＤＣ２３は、ＨＤＤとホストシステム（図示せず）とのインタフェースを構成する。ホストシステムは、図１のＨＤＤを記憶装置として利用するパーソナルコンピュータ等の電子機器である。ＨＤＣ２３は、ホストシステムとＨＤＤとの間のユーザデータ（リード／ライトデータ）の転送を制御する。また、ＨＤＣ２３は、一般にバスインタフェース（Ｉ／Ｆ）からなる双方向制御信号線（ＲＷＣ＿ＣＴＬ）３２を介してリード／ライトチャネル回路２２のリード／ライト処理を制御する。また、ＨＤＣ２３は、所定のフォーマットを持つライトデータ／リードデータ（ＷＤ／ＲＤ）３５のリード／ライトチャネル回路２２への送信（ＷＤの場合）及びリード／ライトチャネル回路２２からの受信（ＲＤの場合）を、それぞれ、ライトゲート信号（ＷＧ）３３及びリードゲート信号（ＲＧ）３４に同期して行う。以下の説明では、ＷＤ／ＲＤ３５がＷＤの場合にはＷＤ３５と表記し、ＷＤ／ＲＤ３５がＲＤの場合にはＲＤ３５と表記することもある。
【００２４】
更にＨＤＣ２３は、一般にシリアルＩ／Ｆからなる双方向制御信号線（ＡＭＰ＿ＣＴＬ）３０を介してヘッドアンプ回路２１のリード／ライト動作を制御すると共に、ＷＧ（ライトゲート信号）３１をヘッドアンプ回路２１に送出する。ＷＧ３１は、ＷＧ３３と同時に送出される。ＷＧ３１は、リード／ライトチャネル回路２２から送出されるＷＤ（ライトデータ）３８に同期するようにタイミングを調整されたゲート信号であり、アクティブ（例えば高レベル）の状態でヘッドアンプ回路２１に対してデータ記録モードを指定する。ＷＧ３１は、アクティブこのＷＤ３８は、ＨＤＣ２３から送出されるＷＧ３３とＷＤ３５とをリード／ライトチャネル回路２２が受け取った場合に、当該リード／ライトチャネル回路２２から所定のフォーマットでＷＧ３３及びＷＤ３５に対して一定のタイミング遅延をもって送出される。ＷＧ３３、ＷＤ３５、ＷＧ３１及びＷＤ３８の相互の関係を図３のタイミングチャートに示す。また、ＨＤＣ２３は、リード／ライトチャネル回路２２に対してディスク１１上のサーボ領域１１０に対応したタイミング信号であるサーボゲート（ＳＧ）３６を送出する。これによりＨＤＣ２３は、ＲＳ（再生信号）３９からリード／ライトチャネル回路２２によって復号されるヘッド位置決めのためのＳＤ（サーボデータ）３７を受け取る。
【００２５】
ＣＰＵ２４は、ＨＤＤのメイン制御装置であり、ヘッド１２の位置決め制御（サーボ制御）を実行するサーボシステムのメイン要素である。ＣＰＵ２４は、上記ＳＤ（サーボデータ）３７に従って、ヘッド１２をディスク１１上の目標トラックに移動するためのシーク動作及びヘッド１２を目標トラック上の目標位置に位置付けるためのトラック追従動作を制御する。そのためＣＰＵ２４は、ＶＣＭドライバ２６Ｂの入力値（制御電圧値）を制御することにより、アクチュエータ１４のＶＣＭ１５を駆動制御する。メモリ２５は、ＲＡＭ、ＲＯＭ及びフラッシュＥＥＰＲＯＭ（Electrically Erasable and Programmable Read Only Memory）を含み、ＣＰＵ２４の制御プログラム及び各種制御データを格納する。モータドライバ２６は、ＣＰＵ２４からの制御に従ってＳＰＭ１３を駆動するためのＳＰＭドライバ２６Ａと、ＣＰＵ２４からの制御に従ってＶＣＭ１５を駆動するためのＶＣＭドライバ２６Ｂとを有する。
【００２６】
ヘッドアンプ回路２１は、前記したように、リードアンプ２１１とデータライトドライバ２１２とに加えて、デガウス制御回路２１３と、デガウス信号発生回路２１４と、デガウスライトドライバ２１５とを含む。デガウス制御回路２１３は、ＨＤＣ２３から出力されるＷＧ（ライトゲート信号）３１に同期して、データライトドライバ２１２に対してＷＧ（ライトゲート信号）４５を出力する。このＷＧ４５は、データライトドライバ２１２による磁気ヘッド１２へのＷＳ（記録電流信号）４４の出力を制御するのに用いられる。デガウス制御回路２１３は、ＷＧ４５の出力時に、リード／ライトチャネル回路２２から出力されるＷＤ３８に対応するＷＤ（ライトデータ）４２をデータライトドライバ２１２に対して出力する。デガウス制御回路２１３はまた、ＷＧ３１に同期して、デガウスライトドライバ２１５に対してＷＧ（ライトゲート信号）４７を出力する。ＷＧ４７は、デガウスライトドライバ２１５による磁気ヘッド１２へのＷＳ４４の出力を制御するのに用いられる。デガウス制御回路２１３は、ＷＧ４７の出力時に、デガウスライトドライバ２１５に対してＷＤ（ライトデータ）４６も出力する。デガウス制御回路２１３はまた、ＷＧ３１がアクティブから非アクティブに切り替わる際に、デガウス信号発生回路２１４にデガウスゲート信号（ＤＧ）４０を出力する。ＤＧ４０はアクティブな状態で磁気ヘッド１２の残留磁化を消磁するための消磁モードを指定し、デガウス信号発生回路２１４によるデガウス（帯域除去）信号（ＤＳ）４１の発生と、デガウスライトドライバ２１５によるＤＳ４１に基づく消磁用記録電流の生成とを制御するのに用いられる。ここで、ＷＧ４５、ＷＧ４７及びＤＧ４０は排他的に出力され、同時に出力されることはない。したがって、ＷＤ４２、ＷＤ４６及びＤＳ４１も排他的に出力され、同時に出力されることはない。よって、ヘッド１２に供給されるＷＳ４４は、常にＷＤ４２、ＷＤ４６及びＤＳ４１のいずれか１つだけに対応する。
【００２７】
デガウス信号発生回路２１４は、ＤＧ４０がアクティブな（例えば高レベルの）消磁モードの期間、ヘッド１２の残留磁化を除去するのに用いられるダミーのデータ信号（つまり消磁用データ信号）としてのＤＳ（デガウス信号）４１を発生する。デガウスライトドライバ２１５は、ヘッド１２に帯磁した磁極を消磁するためのデガウス用のライトドライバである。デガウスライトドライバ２１５は、ＤＧ４０またはＷＧ４７がアクティブな（例えば高レベルの）期間、ＤＳ４１またはＷＤ４６をＷＳ４４に変換して、つまりＤＳ４１またはＷＤ４６からＷＳ４４を生成して出力する。デガウスライトドライバ２１５とデータライトドライバ２１２との相違点は、当該ドライバ２１５及び２１２からそれぞれ出力されるＷＳ（記録電流信号）４４の立ち上がり及び立ち下がり特性が異なることである。このＷＳ４４の立ち上がり及び立ち下がり特性の詳細は後述する。
【００２８】
ここで、参考までに、図１のＨＤＤにおいて、先行技術によりデガウス制御を行ったと仮定した場合の、ＷＳ４４、ＷＧ４５及びＤＧ４０の関係をデータフォーマットと対応付けて図１１のタイミングチャートに示す。ここでは、図２に示したライトデータのフォーマットを適用する場合を前提としている。図１１の例では簡単のために、ライトデータ部１１６に対応するＷＳ４４の信号波形が単一周波数の繰り返しパターンとして表現されている。しかし実際には、ライトデータ部１１６中のユーザーデータ１１３及びＥＣＣ１１４の部分はランダマイズされたパターンで記録されており単純な繰り返し波形ではない。
【００２９】
一般のヘッドアンプ回路は、１つのライトドライバのみを有しており、ＷＳ４４のうち、ライトデータ部１１６に対応する記録電流の立ち上がり時間（Ｔｒ）１００Ａ及び立ち下がり時間（Ｔｆ）１００Ｂと、デガウス部１１７に対応する記録電流の立ち上がり時間（Ｔｒ）１０１Ａ及び立ち下がり時間１０１Ｂとは、全て同じ値をとる。先行技術においては、デガウス部１１７の波形パラメータとして、主として周波数、電流の減衰形状、及び／または作用時間が適用されている。しかし、これらのパラメータだけでは、ヘッド１２に帯磁した磁極の消磁は不十分である。このため、デガウス終了後もヘッド１２からディスク１１に向けて磁束が発生し、ディスク１１上に既に記録されている情報を消去してしまう（非記録時消去と称する）おそれがある。
【００３０】
本発明者らは、記録電流波形の立ち上がり時間１０１Ａ及び立ち下がり時間１０１Ｂをコントロールすることによって、ヘッド１２に帯磁した磁極の消磁をより確実に行えることを見出した。そこで本実施形態のヘッドアンプ回路２１には、上述したように、データライトドライバ２１２とは別に、デガウス用のライトドライバとしてのデガウスライトドライバ２１５を設けられる。このデガウスライトドライバ２１５は、データライトドライバ２１２が出力するＷＳ（第１の記録電流信号）とは異なる立ち上がり／立ち下がり特性のＷＳ（第２の記録電流信号としての消磁用電流信号）をＷＳ４４として出力するように構成されている。具体的には、デガウスライトドライバ２１５は、データライトドライバ２１２が出力するＷＳよりも、立ち上がり時間（Ｔｒ）及び立ち下がり時間（Ｔｆ）が長いＷＳを出力する。これにより本実施形態では、先行技術と比較してデガウスの効果を高めることが可能となる。理論的には、磁極内で細分化された各磁区が、記録電流の立ち下がり／立ち下がり時間が早過ぎると部分的に容易軸（easy axis）方向に戻れなくなるものが発生し、これが非記録時消去の要因となっていると理解される。なお、信号の立ち上がり時間及び立ち下がり時間をコントロールすること自体は、従来から良く知られている技術によって容易に実現できる。
【００３１】
次に本実施形態の動作について、ＷＳ（記録電流信号）４４、ＷＧ（ライトゲート信号）４５及びＤＧ（デガウスゲート信号）４０の関係をデータフォーマットと対応付けて表す図４のタイミングチャートを参照して説明する。  
ＨＤＣ２３は、ＲＷＣ＿ＣＴＬ（双方向制御信号線）３２を介してリード／ライトチャネル回路２２のライト処理を制御する場合、ＷＧ（ライトゲート信号）３３を当該チャネル回路２２に、ＷＧ３１をヘッドアンプ回路２１に、それぞれ出力する。また、ＨＤＣ２３は、ホストシステムから転送されるユーザデータを含むＷＤ（ライトデータ）３５を生成し、当該ＷＤ３５をＷＧ３３に同期してリード／ライトチャネル回路２２に出力する。  リード／ライトチャネル回路２２は、ＨＤＣ２３から出力されるＷＤ３５を符号化し、ＷＤ３８としてヘッドアンプ回路２１に出力する。このＷＤ３８のデータフォーマットは、図２に示したフォーマットに一致し、プリアンブル１１１、シンクマーク１１２、ユーザデータ１１３、ＥＣＣ１１４及びポストアンブル１１５から構成される。ＨＤＣ２３からヘッドアンプ回路２１に出力されるＷＧ３１は、その後縁（立ち下がり）のタイミングが、前述したように、リード／ライトチャネル回路２２からヘッドアンプ回路２１に出力されるＷＤ３８の終端のタイミングに同期するように調整されている。
【００３２】
ヘッドアンプ回路２１のデガウス制御回路２１３は、ＨＤＣ２３から出力されるＷＧ３１に同期して、データライトドライバ２１２に対してＷＧ４５を出力する。この結果、ＷＧ３１によってヘッドアンプ回路２１に対してデータ記録モードが指定された際に、ＷＧ４５によってデータライトドライバ２１２に対してデータ記録モードが指定される。またデガウス制御回路２１３は、リード／ライトチャネル回路２２から出力されるＷＤ３９に対応するＷＤ４２を、ＷＧ４５の出力に応じてデータライトドライバ２１２に出力する。
【００３３】
データライトドライバ２１２は、デガウス制御回路２１３から出力されるＷＧ４５がアクティブな期間（ここでは高レベルの期間）動作して、デガウス制御回路２１３から出力されるＷＤ４５をＷＳ（記録電流信号）４４に変換する。このＷＳ４４は磁気ヘッド１２に含まれている記録ヘッドに供給される。すると、ＷＧ４５がアクティブなデータ記録モードの期間において、ＷＳ４４（ＷＤ４５）に対応するライトデータが、図１０に示すように、ライトデータ部１１６のデータとして、記録ヘッドによってディスク１１に記録される。ここで、ＷＧ４５がアクティブな期間におけるＷＳ（第１の記録電流信号）４４の立ち上がり時間（Ｔｒ）１００Ａ及び立ち下がり時間（Ｔｆ）１００Ｂは、例えば、図１１に示した従来のＷＳ４４の立ち上がり時間（Ｔｒ）１００Ａ及び１０１Ａ並びに立ち下がり時間（Ｔｆ）１００Ｂ及び１０１Ｂと同一である。本実施形態におけるＷＳ４４の立ち上がり時間（Ｔｒ）及び立ち下がり時間（Ｔｆ）は、ＷＳ４４の波高値（振幅）の１０％となる時点と９０％となる時点との間の時間によって定義されるものとする。但し、図４では、簡略化のために、ＷＳ４４の波高値（振幅）の０％となる時点と１００％となる時点との間の時間が、それぞれＴｒ及びＴｆとして表されている。
【００３４】
さて、デガウス制御回路２１３は、ＨＤＣ２３から出力されるＷＧ３１が例えば高レベルから低レベルに遷移して、アクティブな状態（データ記録モードを指定する状態）から非アクティブな状態に切り替わると、ＤＧ（デガウスゲート信号）４０を非アクティブな状態（例えば低レベル）から消磁モードを指定するアクティブな状態（高レベル）に切り替える。このＤＧ４０は、デガウス制御回路２１３からデガウス信号発生回路２１４及びデガウスライトドライバ２１５に供給される。また、ＤＧ４０のアクティブな状態は、デガウス制御回路２１３によって一定期間だけ継続される。このＤＧ４０をアクティブにする期間を、ユーザの操作に従うホストシステムからの指示に基づいて、ＣＰＵ２４がＨＤＣ２３及びＡＭＰ＿ＣＴＬ３０を介してデガウス制御回路２１３に対して指定することも可能である。この期間の指定は、例えば、デガウス制御回路２１３内にレジスタを用意し、当該レジスタに当該期間を示す情報を設定することにより実現される。
【００３５】
デガウス信号発生回路２１４は、デガウス制御回路２１３から出力されるＤＧ４０がアクティブな消磁モードの期間、ヘッド１２の残留磁化を除去するのに用いられるＤＳ（デガウス信号）４１を発生する。このＤＳ４１は、デガウス信号発生回路２１４からデガウスライトドライバ２１５に供給される。デガウスライトドライバ２１５は、上記ＤＧ４０がアクティブな消磁モードの期間動作して、デガウス信号発生回路２１４によって供給されるＤＳ４１をＷＳ（記録電流信号）４４に変換する。ここで、ＤＧ４０がアクティブな期間におけるＷＳ（第２の記録電流信号としての消磁用電流信号）４４の立ち上がり時間（Ｔｒ）１０１Ａ及び立ち下がり時間（Ｔｆ）１０１Ｂは、図１１に示した従来のＷＳ４４の立ち上がり時間（Ｔｒ）１００Ａ及び１０１Ｂ並びに立ち下がり時間１００Ｂ及び１０１Ｂよりも長いことに注意されたい。
【００３６】
一般に最近の記録電流のＴｒ（立ち上がり時間）１００Ａ及びＴｆ（立ち下がり時間）１００Ｂは、電流波高値１０〜９０％の範囲で１ｎｓ前後である。これに対し本実施形態では、ＤＧ４０がアクティブな期間にデガウスライトドライバ２１５によって出力されるＷＳ４４のＴｒ１０１Ａ及びＴｆ１０１Ｂは、Ｔｒ１００Ａ及びＴｒ１００Ｂ（更には、従来のＴｒ１０１Ａ及びＴｆ１０１Ｂ）より長く、例えば１ｎｓ〜１０ｎｓ程度である。ここで、Ｔｒ１０１Ａ及びＴｆ１０１Ｂは、ヘッド１２の残留磁化を除去する観点からは、後述するように長い方が効果的である。それにも拘わらず、本実施形態においてＴｒ１０１Ａ及びＴｆ１０１Ｂの上限を設定しているのは次の理由による。まず、Ｔｒ１０１Ａ及びＴｆ１０１Ｂを必要以上に長くすると、ディスク１１のフォーマット効率を悪化させる。しかも、残留磁化を消磁する効果は、Ｔｒ１０１Ａ及びＴｆ１０１Ｂに比例する訳ではなく、ある時間を超えると効果が余り変わらなくなる。したがって、フォーマット効率を考慮するならば、Ｔｒ１０１Ａ及びＴｆ１０１ＢをＴｒ１００Ａ及びＴｒ１００Ｂよりも長く設定しても、必要以上に長く設定しないことが好ましい。
【００３７】
さて、ＤＧ４０がアクティブな期間にデガウスライトドライバ２１５によってＤＳ４１から変換されたＷＳ（記録電流信号）４４は、磁気ヘッド１２に含まれている記録ヘッドに供給される。すると、ＤＧ４０がアクティブな期間において、ＷＳ４４に対応するデータが、図４に示すように、ライトデータ部１１６に後続するデガウス部１１７のデータとして、記録ヘッドによってディスク１１に記録される。このようにＤＧ４０がアクティブな消磁モードの期間には、ＤＳ４１から変換されたＷＳ（記録電流信号）４４に応じて、記録ヘッドによりデガウス部１１７のデータがディスク１１に記録される。
【００３８】
本実施形態では、ＤＧ４０がアクティブな期間におけるＷＳ４４の周波数を１００ＭＨｚ（１周期１０ｎｓ）とした場合を例として示す。また、ＤＧ４０がアクティブな期間は、その期間におけるＷＳ４４の周期の複数倍、例えば２倍（つまり２０ｎｓ）であるものとする。この場合、ＤＧ４０がアクティブな期間に、１００ＭＨｚのＷＳ４４に対応するデータが、デガウス部１１７を構成するデータとして２周期だけディスク１１に記録される。ＤＧ４０がアクティブな期間におけるＷＳ４４のＴｒ１０１Ａ及びＴｆ１０１Ｂは、上記したように通常のＷＳ４４のＴｒ１００Ａ及びＴｆ１００Ｂより長い１ｎｓ〜１０ｎｓ程度に設定されている。このようなＷＳ４４に基づいて、ＤＧ４０がアクティブな期間にデガウス部１１７が記録されることにより、記録ヘッドの磁極内で種々の方向に向いた磁化を、記録終了時に容易軸方向に向きやすくすることが可能となる。よって本実施形態によれば、ヘッド１２に残留した磁化を効率的に消磁すること、つまり消磁効果の効率向上が図れる。なお、デガウス部１１７の記録周波数に関しては、その１周期がＴｒ１０１ＡとＴｆ１０１Ｂとの和を下回らないように設定される必要がある。
【００３９】
上記の消磁効果について図５を参照して説明する。本発明者は、ＷＳ（記録電流信号）４４のＴｒ（立ち上がり時間）１０１Ａ及びＴｆ（立ち下がり時間）１０１Ｂを可変して、各Ｔｒ及びＴｆ毎の、記録ヘッドの残留磁化により記録データ消去現象が発生する頻度を調べた。図５は、この各Ｔｒ及びＴｆ毎の記録データ消去発生率を示すグラフである。図５から明らかなように、Ｔｒ及びＴｆが長いほど、記録データ消去発生率は低くなる。このことは、Ｔｒ及びＴｆが長いほど、記録ヘッドの残留磁化を消磁する効果が高くなることを表している。但し、Ｔｒ及びＴｆがある程度長くなると、記録データ消去発生率が低くなる度合いは低下する。このため、上述したように、Ｔｒ及びＴｆを必要以上に長くする必要はない。よって本実施形態においては、記録ヘッド内の残留磁化により非記録時に記録が行われてしまう現象に対し、従来の抑制効果を更に強化し、また従来５０ｎｓ程度必要とされていた作用時間をそれ以下としても従来と同等以上の効果をあげることができ、フォーマット効率の低下を防ぐことも可能となる。
【００４０】
本実施形態では、磁気ヘッド１２に対してＷＳ４４を供給するライトドライバとして、立ち上がり及び立ち下がり特性が異なる２つのライトドライバ、即ちデータライトドライバ２１２及びデガウスライトドライバ２１５が用意されている。しかし、１つのライトドライバに、ＷＧ４５のアクティブから非アクティブへの切り替え時に、速やかに立ち上がり及び立ち下がり特性を切り替えることが可能なライトドライバであるならば、ドライバ２１２及び２１５に代えて１つのライトドライバで代用することも可能である。
【００４１】
［第１の変形例］
次に、上記実施形態の第１の変形例について図６のタイミングチャートを参照して説明する。図６は、図４と同様に、ＷＳ４４、ＷＧ４５及びＤＧ４０の関係をデータフォーマットと対応付けて示す。
【００４２】
上記実施形態では、ＤＧ４０がアクティブな期間におけるＷＳ４４の振幅が一定である場合を想定している。これに対し、第１の変形例では、ＤＧ４０がアクティブな期間におけるＷＳ４４（つまりＤＳ４１に対応するＷＳ４４）は、その波形の振幅の包絡線形状が、上記実施形態とは異なって、直線的にまたは指数関数的に単調に減少するように設定される。ここで、ＤＧ４０がアクティブな期間におけるＷＳ４４のＴｒ１０１Ａ及びＴｆ１０１Ｂは、上記実施形態と同様に、通常のＷＳ４４（つまりＷＤ４５に対応するＷＳ４４）のＴｒ１００Ａ及びＴｆ１００Ｂより長く設定されている。
【００４３】
つまり、第１の変形例の特徴は、記録ヘッドの帯磁消去に効果があるとして従来から知られている記録電流の減衰のさせかたのパラメータである、（１）周波数、（２）作用時間、（３）減衰形状のうちの減衰形状を、上記実施形態と組み合わせた点にある。第１の変形例によれば、ＤＧ４０がアクティブな期間におけるＷＳ４４の特徴、即ちＴｒ１０１Ａ及びＴｆ１０１ＢがＴｒ１００Ａ及びＴｆ１００Ｂに比べて長いだけでなく、その信号波形の振幅の包絡線形状が漸次減衰（単調減少）するという特徴により、上記実施形態と比較して消磁効果を一層高めることができる。勿論、ＤＧ４０がアクティブな期間におけるＷＳ４４の減衰形状以外のパラメータ、例えば周波数を上記実施形態と組み合わせることも可能である。なお、図６の例では、ＤＧ４０がアクティブな期間に、１００ＭＨｚのＷＳ４４に対応するデータがデガウス部１１７を構成するデータとして４周期だけディスク１１に記録される。
【００４４】
上記実施形態及び上記実施形態の第１の変形例では、ＷＧ３１がアクティブの間はデガウス制御回路２１３からデータライトドライバ２１２に対してＷＤ４２が出力される。これによりＷＧ３１がアクティブの間は、ＷＤ４２に対応するＷＳ４４が磁気ヘッド１２に供給される。そして、ＷＧ３１が非アクティブに切り替わると同時にデガウス制御回路２１３によってＤＧ４０がアクティブに切り替えられる。すると、デガウス信号発生回路２１４からデガウスライトドライバ２１５にデガウス信号ＤＳ４１が送られる。これによりＤＧ４０がアクティブの間は、ＤＳ４１に対応するＷＳ４４が磁気ヘッド１２に供給される。このように、上記実施形態及び上記実施形態の第１の変形例では、ＤＧ４０がアクティブの期間、デガウス信号発生回路２１４によってＷＤ（ライトデータ）４２とは独立に発生されるＤＳ４１に基づいてＷＳ４４が生成される。そして、ＤＳ４１に基づいて生成されるＷＳ４４によってデガウス部１１７が記録される。
【００４５】
［第２の変形例］
次に、上記実施形態の第２の変形例について図７のタイミングチャートを参照して説明する。図７は、図６と同様に、ＷＳ４４、ＷＧ４５及びＤＧ４０の関係をデータフォーマットと対応付けて示す。
【００４６】
第２の変形例の特徴は、ライトデータ部１１６内のポストアンブル１１５の終端側の一部をデガウス部１１７として兼用することにある。そのために第２の変形例では、ＷＧ３１がＨＤＣ２３によってポストアンブル１１５の途中でアクティブから非アクティブに切り替えられる。このＷＧ３１の切り替えに同期して、ＤＧ４０がデガウス制御回路２１３によってポストアンブル１１５の途中で非アクティブからアクティブに切り替えられる。同時にＷＧ４５もデガウス制御回路２１３によってポストアンブル１１５の途中でアクティブから非アクティブに切り替えられる。ＤＧ４０は、ポストアンブル１１５の終端のタイミングで非アクティブに切り替えられる。
【００４７】
これにより、ＷＧ４５がアクティブな期間は、データライトドライバ２１２によってＷＤ４２から生成されるＷＳ４４に従い、ライトデータ部１１６の先頭から当該ライトデータ部１１６のポストアンブル１１５の途中まで対応するデータが記録される。これに対し、ＷＧ４５が非アクティブに切り替えられて、ＤＧ４０がアクティブに切り替えられると、デガウスライトドライバ２１５によってＤＳ４１から生成されるＷＳ４４に従い、ライトデータ部１１６のポストアンブル１１５の途中から当該ポストアンブル１１５の終端まで対応するデータがデガウス部１１７として記録される。このポストアンブル１１５内のデガウス部１１７に対応するＷＳ４４のＴｒ１０１Ａ及びＴｆ１０１Ｂは、デガウスライトドライバ２１５によってＴｒ１００Ａ及びＴｒ１００Ｂより長く設定されている。よって、第２の変形例においても、ヘッド１２に残留した磁化を効率的に消磁できる。しかも第２の変形例においては、デガウス部１１７はポストアンブル１１５内に収まる。このため、上記実施例及び第１の変形例のようにポストアンブル１１５（ライトデータ部１１６）の後に、ライトデータ部１１６から独立したデガウス部１１７を付加する必要がなくなり、ディスク１１のフォーマット効率を向上することができる。
【００４８】
［第３の変形例］
次に、上記実施形態の第３の変形例について図８のタイミングチャートを参照して説明する。図８は、ＷＳ４４、ＷＧ４５及びＷＧ４７の関係をデータフォーマットと対応付けて示す。
【００４９】
第３の変形例の特徴は、上記第２の変形例と同様に、ライトデータ部１１６内のポストアンブル１１５の終端側の一部をデガウス部１１７として兼用することにある。第３の変形例が第２の変形例と異なる点は、リード／ライトチャネル回路２２からデガウス制御回路２１３に出力されるＷＤ３８に対応するＷＤ４２及びＷＤ４６を用いて、それぞれデータライトドライバ２１２及びデガウスライトドライバ２１５によるＷＳ４４の生成が行われることである。
【００５０】
そのために第３の変形例では、ＷＧ３１がＨＤＣ２３によってポストアンブル１１５の途中でアクティブから非アクティブに切り替えられるると、ＷＧ４５だけでなく、ＷＧ４７もデガウス制御回路２１３によって制御される。即ちデガウス制御回路２１３は、ＷＧ３１が非アクティブに切り替えられるのに同期して、ＷＧ４５をアクティブに切り替えると同時に、ＷＧ４７をアクティブに切り替える。また、デガウス制御回路２１３は、ＷＧ４７がアクティブな期間、ＷＤ３８に含まれるポストアンブル１１５の残りのデータに対応するＷＤ４６をデガウス制御回路２１３に出力する。ここでは、ＤＧ４０は、第２の変形例と異なって、常に非アクティブに設定される。なお、ＷＧ３１が非アクティブに切り替わった際に、デガウス制御回路２１３が、この例（第３の変形例）のようにＷＧ４７をアクティブに切り替えるか、上記第２の変形例のようにＤＧ４０をアクティブに切り替えるかは、例えばＣＰＵ２４からＨＤＣ２３及びＡＭＰ＿ＣＴＬ３０を介してデガウス制御回路２１３に対して指示することで実現できる。
【００５１】
これにより、ＷＧ４５がアクティブな期間は、データライトドライバ２１２によってＷＤ４２から生成されるＷＳ４４に従い、ライトデータ部１１６の先頭から当該ライトデータ部１１６のポストアンブル１１５の途中まで対応するデータが記録される。これに対し、ＷＧ４５が非アクティブに切り替えられると同時に、ＷＧ４７がアクティブに切り替えられると、デガウスライトドライバ２１５によってＷＤ４６から生成されるＷＳ４４に従い、ライトデータ部１１６のポストアンブル１１５の途中から当該ポストアンブル１１５の終端まで対応するデータがデガウス部１１７として記録される。
【００５２】
ここで、ポストアンブル１１５の記録周波数は、上記第２の変形例と異なって、デガウス部１１７であるか否かに無関係に、ポストアンブル１１５の始端から終端に亙って同一である。しかし、デガウスライトドライバ２１５によってＷＤ４６から生成される（デガウス部１１７の記録に用いられる）ＷＳ４４のＴｒ１０１Ａ及びＴｆ１０１Ｂは、上記実施形態及び第１の変形例と同様に、データライトドライバ２１２によって生成されるＷＳ４４のＴｒ１００Ａ及びＴｆ１００Ｂより長く設定される。これにより、デガウス部１１７を記録するための特別のデータ信号（ＤＳ４１）を用いることなく、ヘッド１２に残留した磁化を効率的に消磁できる。しかも第２の変形例と同様に、ライトデータ部１１６から独立したデガウス部１１７を付加する必要がなくなり、ディスク１１のフォーマット効率を向上することができる。なお、第３の変形例では、必ずしもデガウス信号発生回路２１４を必要としないことは明白である。
【００５３】
［第４の変形例］
次に、上記実施形態の第４の変形例について図９のタイミングチャートを参照して説明する。図９は、図６と同様に、ＷＳ４４、ＷＧ４５及びＤＧ４０の関係をデータフォーマットと対応付けて示す。
【００５４】
第４の変形例の特徴は、ＤＧ４０がアクティブな期間にデガウスライトドライバ２１５によって生成されるＷＳ４４の波形が、方形波ではなくて、三角波である点にある。この場合、ＤＧ４０がアクティブな期間におけるＷＳ４４の周波数が、例えば第１の変形例（図６参照）と同一であったとしても、図９から明らかなように、Ｔｒ１０１Ａ及びＴｆ１０１Ｂをより長く設定できる。これにより、ヘッド１２に残留した磁化をより一層効率的に消磁できる。
【００５５】
［第５の変形例］
次に、上記実施形態の第５の変形例について図１０のタイミングチャートを参照して説明する。図１０は、図６と同様に、ＷＳ４４、ＷＧ４５及びＤＧ４０の関係をデータフォーマットと対応付けて示す。
【００５６】
第５の変形例の特徴は、ＤＧ４０がアクティブな期間にデガウスライトドライバ２１５によって生成されるＷＳ４４の波形が、方形波ではなくて、サイン波である点にある。この場合、ＤＧ４０がアクティブな期間におけるＷＳ４４の周波数が、例えば第１の変形例（図６参照）と同一であったとしても、図１０から明らかなように、Ｔｒ１０１Ａ及びＴｆ１０１Ｂをより長く設定できる。これにより、ヘッド１２に残留した磁化をより一層効率的に消磁できる。しかも、ＷＳ４４の波形をサイン波としたことで、波形の立ち上がり／立ち下がり傾度を小さくできるだけでなく、記録電流のオーバーシュートレベルを極力低くすることができるため、残留磁化のそもそもの発生を抑える効果もある。
【００５７】
一般に、データ記録モードにおいては、記録ヘッドにより確実にデータを記録するのに必要十分な記録電流を確保するために、当該記録電流を意図的にオーバーシュートさせている。しかし、ＤＧ４０がアクティブな消磁モードでは、記録電流を意図的にオーバーシュートさせる必要はない。そこで、上記実施形態及び第１乃至第４の変形例のようにＷＳ４４に方形波を用いる場合でも、ＤＧ４０がアクティブな消磁モードにおけるＷＳ４４のオーバーシュートレベルを、デガウスライトドライバ２１５が低くすることにより、消磁率を一層向上できる。
【００５８】
なお、本発明は、上記実施形態及びその変形例そのままに限定されるものではなく、実施段階ではその要旨を逸脱しない範囲で構成要素を変形して具体化できる。また、上記実施形態またはその変形例に開示されている複数の構成要素の適宜な組み合せにより種々の発明を形成できる。例えば、上記実施形態またはその変形例に示される全構成要素から幾つかの構成要素を削除してもよい。更に、異なる実施形態または変形例に亘る構成要素を適宜組み合せてもよい。
【図面の簡単な説明】
【００５９】
【図１】本発明の一実施形態に係る磁気ディスク装置の構成を示すブロック図。
【図２】同実施形態で適用されるデータセクタフォーマットを示す図。
【図３】同実施形態におけるＷＧ（ライトゲート信号）３３、ＷＤ（ライトデータ）３５、ＷＧ３１及びＷＤ３８の相互の関係を表すタイミングチャート。
【図４】同実施形態におけるＷＳ（記録電流信号）４４、ＷＧ（ライトゲート信号）４５及びＤＧ（デガウスゲート信号）４０の関係をデータフォーマットと対応付けて表すタイミングチャート。
【図５】ＷＳ（記録電流信号）４４の各立ち上がり時間（Ｔｒ）１０１Ａ及び立ち下がり時間（Ｔｆ）１０１Ｂ毎の記録データ消去発生率を示すグラフ。
【図６】上記実施形態の第１の変形例におけるＷＳ４４、ＷＧ４５及びＤＧ４０の関係をデータフォーマットと対応付けて表すタイミングチャート。
【図７】上記実施形態の第２の変形例におけるＷＳ４４、ＷＧ４５及びＤＧ４０の関係をデータフォーマットと対応付けて表すタイミングチャート。
【図８】上記実施形態の第３の変形例におけるＷＳ４４、ＷＧ４５及びＷＧ４７の関係をデータフォーマットと対応付けて表すタイミングチャート。
【図９】上記実施形態の第４の変形例におけるＷＳ４４、ＷＧ４５及びＤＧ４０の関係をデータフォーマットと対応付けて表すタイミングチャート。
【図１０】上記実施形態の第５の変形例におけるＷＳ４４、ＷＧ４５及びＤＧ４０の関係をデータフォーマットと対応付けて表すタイミングチャート。
【図１１】図１のＨＤＤにおいて、先行技術によりデガウス制御を行ったと仮定した場合の、ＷＳ４４、ＷＧ４５及びＤＧ４０の関係をデータフォーマットと対応付けて表すタイミングチャート。
【符号の説明】
【００６０】
１１…磁気ディスク、１２…磁気ヘッド（記録ヘッド）、２１…ヘッドアンプ回路、２２…リード／ライトチャネル回路、２３…ＨＤＣ（ディスクコントローラ）、２４…ＣＰＵ、２１１…リードアンプ、２１２…データライトドライバ（第１のライトドライバ、ドライバ手段）、２１３…デガウス制御回路（制御手段）、２１４…デガウス信号発生回路（消磁用データ信号発生手段）、２１５…デガウスライトドライバ（第２のライトドライバ、ドライバ手段）、３１…ＷＧ（ライトゲート信号）、３８…ＷＤ（ライトデータ）、４０…デガウスゲート信号（消磁ゲート信号）、４１…ＤＳ（デガウス信号、消磁用データ信号）、４２…ＷＤ、４４…ＷＳ（記録電流信号、第１の記録電流、第２の記録電流、消磁用電流）、４５…ＷＧ、４６…ＷＤ。
【図１】
2006185544.tif 000003
【図２】
2006185544.tif 000004
【図３】
2006185544.tif 000005
【図４】
2006185544.tif 000006
【図５】
2006185544.tif 000007
【図６】
2006185544.tif 000008
【図７】
2006185544.tif 000009
【図８】
2006185544.tif 000010
【図９】
2006185544.tif 000011
【図１０】
2006185544.tif 000012
【図１１】
2006185544.tif 000013